(57)【要約】【課題】  無線パラメータの設定変更が行われた場合、設定変更された無線パラメータを既に接続している無線端末装置へ通知する。【解決手段】  無線パラメータを設定する複数の設定方式に対応する通信装置において、第１の設定方式の無線パラメータを設定後、第２の設定方式の無線パラメータへ設定を変更する場合に、設定可能な無線パラメータを選択する。選択された無線パラメータを既に接続している無線端末装置へ通知する。【選択図】      図７
2008035416.tif 000002
【特許請求の範囲】
【請求項１】
通信装置であって、
他の装置に通信パラメータを設定する際に、管理装置が管理する通信パラメータを前記他の装置に通知する第１の設定方式による設定処理を行う第１設定手段と、
他の装置に通信パラメータを設定する際に、前記第１の設定方式とは異なる第２の設定方式による設定処理を行う第２設定手段と、
前記第１の設定方式により通信パラメータを設定した後に、前記第２の設定方式により通信パラメータを変更する場合に、前記第１の設定方式により前記通信装置と接続する他の装置と前記第２の設定方式により前記通信装置と接続する他の通信とで共通に設定可能な通信パラメータを設定する設定手段と、
を有することを特徴とする通信装置。
【請求項２】
前記設定手段により設定した通信パラメータを前記管理装置に通知する通知手段を有することを特徴とする請求項１に記載の通信装置。
【請求項３】
前記通信パラメータは、少なくとも認証方式と暗号化方式を示す情報であることを特徴とする請求項１又は請求項２に記載の通信装置。
【請求項４】
前記共通に設定可能な通信パラメータが存在しない場合、前記第２の設定方式による通信パラメータの設定を終了することを特徴とする請求項１乃至請求項３の何れか一項に記載の通信装置。
【請求項５】
前記設定手段は、前記第１の設定方式により前記通信装置と接続する他の装置と前記第２の設定方式により前記通信装置と接続する他の通信とで共通に設定可能な通信パラメータの中でセキュリティ強度の高い無線パラメータを設定することを特徴とする請求項１乃至請求項４の何れか一項に記載の通信装置。
【請求項６】
前記設定手段は、前記通信装置に接続する他の装置が、前記通信装置が形成するネットワークから離脱した場合に、前記通信装置に接続中の他の装置に共通に設定可能な通信パラメータに変更することをことを特徴とする請求項１乃至請求項５の何れか一項に記載の通信装置。
【請求項７】
前記通信パラメータの変更を禁止する変更禁止手段を更に有し、
前記設定手段は、前記変更禁止手段により変更が禁止されている場合、前記通信パラメータの変更を行わないことを特徴とする請求項１乃至６の何れか一項に記載の通信装置。
【請求項８】
前記管理装置は、前記通信装置が内部に有することを特徴とする請求項１乃至７の何れか一項に記載の通信装置。
【請求項９】
他の装置に通信パラメータを設定する際に、管理装置が管理する通信パラメータを前記他の装置に通知する第１の設定方式による設定処理と、他の装置に通信パラメータを設定する際に、前記第１の設定方式とは異なる第２の設定方式による設定処理を行う通信装置の通信パラメータ設定方法であって、
前記第１の設定方式により通信パラメータを設定した後に、前記第２の設定方式により通信パラメータを変更する場合に、前記第１の設定方式により前記通信装置と接続する他の装置と前記第２の設定方式により前記通信装置と接続する他の通信とで共通に設定可能な通信パラメータを設定する設定工程を有することを特徴とする通信装置の通信パラメータ設定方法。
【請求項１０】
請求項９記載の通信装置の通信パラメータ設定方法をコンピュータに実行させるためのプログラム。
【請求項１１】
請求項１０記載のプログラムを記録したコンピュータ読み取り可能な記録媒体。
【発明の詳細な説明】
【技術分野】
【０００１】
本発明は、通信パラメータを設定する複数の設定方式に対応する通信装置及びその通信パラメータ設定方法に関する。
【背景技術】
【０００２】
ＩＥＥＥ８０２.１１規格群に準拠した無線ＬＡＮの普及に伴い、ユーザにとって煩雑なネットワーク識別子（ＳＳＩＤ）や暗号化方式、暗号鍵、認証方式、認証鍵などの無線ＬＡＮ通信に必要な無線パラメータの設定を簡単に行う技術への要求が高まっている。
【０００３】
従来、無線ＬＡＮ機器には、各社独自に開発した無線パラメータの設定技術が搭載され、無線パラメータの設定を簡単化させている。
【０００４】
無線パラメータを設定する技術は、端末と基地局との間で、無線ＬＡＮ通信に必要なパラメータを無線で通信するものである（例えば、特許文献１参照）。
【０００５】
また、ネットワークに参加する端末の増減に応じて基地局の無線パラメータを変更する方法がある（例えば、特許文献２参照）。
【０００６】
更に、近年では、機器間で無線パラメータを簡単に設定するための標準規格の策定が進められている。
【０００７】
そのため、今後無線ＬＡＮ機器には、各社独自の設定方式（以下、独自方式）と、標準規格の設定方式（以下、標準方式）の双方が搭載されることが予想される。
【特許文献１】特開２００４−２１５２３２号公報
【特許文献２】特開２００５−３１１６５３号公報
【発明の開示】
【発明が解決しようとする課題】
【０００８】
上述の各設定方式は、各々の設定アルゴリズムに基づいて基地局と接続される無線装置の無線パラメータを設定するものである。ここで、標準方式と独自方式の２つの設定方式に対応する基地局の場合、第１の設定方式で設定した無線パラメータを第２の設定方式の無線パラメータに変更すると、先に接続している無線装置が通信不能となる場合がある。
【０００９】
また、第１の設定方式で設定した無線パラメータを第２の設定方式の無線パラメータに変更すると、第１の設定方式で管理する基地局での無線パラメータの設定状態が現状の設定状態と違いが生じてしまう。その結果、無線パラメータ変更後に第１の設定方式による設定が行われると、現状の基地局の設定とは異なる無線パラメータが無線装置に設定され、通信不能となる場合もある。
【００１０】
即ち、基地局において複数の異なる無線パラメータ設定方式が動作した場合、各設定方式が独立して動作することで、最適な無線パラメータ設定を行うことができないという問題があった。
【００１１】
本発明は、複数の通信パラメータ設定方式に対応する場合に、各設定方式による通信パラメータ設定を連携させることを目的とする。
【課題を解決するための手段】
【００１２】
本発明は、通信装置であって、他の装置に通信パラメータを設定する際に、管理装置が管理する通信パラメータを前記他の装置に通知する第１の設定方式による設定処理を行う第１設定手段と、他の装置に通信パラメータを設定する際に、前記第１の設定方式とは異なる第２の設定方式による設定処理を行う第２設定手段と、前記第１の設定方式により通信パラメータを設定した後に、前記第２の設定方式により通信パラメータを変更する場合に、前記第１の設定方式により前記通信装置と接続する他の装置と前記第２の設定方式により前記通信装置と接続する他の通信とで共通に設定可能な通信パラメータを設定する設定手段とを有することを特徴とする。
【００１３】
また、本発明は、他の装置に通信パラメータを設定する際に、管理装置が管理する通信パラメータを前記他の装置に通知する第１の設定方式による設定処理と、他の装置に通信パラメータを設定する際に、前記第１の設定方式とは異なる第２の設定方式による設定処理を行う通信装置の通信パラメータ設定方法であって、前記第１の設定方式により通信パラメータを設定した後に、前記第２の設定方式により通信パラメータを変更する場合に、前記第１の設定方式により前記通信装置と接続する他の装置と前記第２の設定方式により前記通信装置と接続する他の通信とで共通に設定可能な通信パラメータを設定する設定工程を有することを特徴とする。
【発明の効果】
【００１４】
本発明によれば、第１の設定方式により設定した通信パラメータを第２の設定方式による通信パラメータ設定により変更した場合でも、第１の設定方式による通信パラメータ設定に変更を反映させることができる。
【発明を実施するための最良の形態】
【００１５】
以下、図面を参照しながら発明を実施するための最良の形態について詳細に説明する。
【００１６】
［第１の実施形態］
図１は、第１の実施形態における無線ＬＡＮシステムの構成の一例を示す図である。図１に示す無線ＬＡＮシステムは、基地局１０１、無線装置１０２、１０３、管理装置１０４によって構成される。ここで、基地局１０１、無線装置１０２、１０３は、IEEE 802.11x準拠の無線ＬＡＮ通信機能を備え、インフラストラクチャモード（以下、インフラモード）のネットワークにて無線通信を行う。インフラモードで無線通信する際には、基地局１０１は、アクセスポイントとして動作し、無線装置１０２、１０３は、ステーションとして動作する。また、管理装置１０４は基地局１０１と有線ＬＡＮによって接続される。
【００１７】
第１の実施形態では、無線パラメータを設定する方法として、２つの方法が存在する。第１の設定方式は、無線装置が基地局１０１を中継して管理装置１０４から無線パラメータを受信して設定する方法である。第２の設定方式は、無線装置が基地局１０１から無線パラメータを受信して設定する方法である。
【００１８】
ここで、無線装置１０２は第１の設定方式に対応し、無線装置１０３は第２の設定方式に対応し、基地局１０１は第１及び第２の設定方式に対応するものとする。また、管理装置１０４は、基地局１０１に設定されている無線パラメータを記憶、管理し、第１の設定方式に対応する無線装置からの要求に従い無線装置へ無線パラメータを提供する。
【００１９】
次に、図１の無線ＬＡＮシステムを構成する基地局１０１、無線装置１０２、１０３、管理装置１０４の構成例を、図２〜図５を用いて説明する。
【００２０】
図２は、第１の実施形態における基地局１０１の構成の一例を示すブロック図である。図２において、２０１は基地局１０１の全体を制御する制御部である。制御部２０１は、ＲＯＭ２０２に格納されているプログラムを実行することにより後述の各種制御を行う。２０２は制御命令、つまり、プログラムが格納されているＲＯＭである。ＲＯＭ２０２に格納されるプログラムは制御部２０１が後述の各種制御を実行するためのプログラムである。２０３はＲＡＭである。ＲＡＭ２０３には、詳細は後述する無線パラメータ調整テーブルが記憶される。２０４は無線通信処理部であり、無線ＬＡＮの通信制御を行う。２０５はアンテナである。２０６はアンテナ制御部である。
【００２１】
２０７は電源部である。２０８はＵＳＢやIEEE1394などの有線ＬＡＮインタフェース部である。２０９は無線パラメータ設定ボタンであり、無線パラメータの設定処理を起動するボタンである。２１０は第１設定処理部であり、第１の設定方式による無線パラメータの設定処理を制御する。２１１は第２設定処理部であり、第２の設定方式による無線パラメータの設定処理を制御する。第１設定処理部２１０、第２設定処理部２１１は、無線パラメータ設定処理の際に、設定相手の無線装置が対応する無線パラメータを当該無線装置から受信し、受信した無線パラメータを無線パラメータ調整部２１３に通知する。２１２は無線パラメータ通知処理部であり、管理装置１０４へ無線パラメータを通知する。２１３は無線パラメータ調整部であり、詳細は後述する無線パラメータ調整テーブルに基づいて無線パラメータの調整処理を行う。
【００２２】
図３は、第１の実施形態における無線装置１０２の構成の一例を示すブロック図である。図３において、３０１は無線装置１０２の全体を制御する制御部である。制御部３０１は、ＲＯＭ３０２に格納されているプログラムを実行することにより後述の各種制御を行う。３０２は制御命令、つまり、プログラムが格納されているＲＯＭである。ＲＯＭ３０２に格納されるプログラムは制御部３０１が後述の各種制御を実行するためのプログラムである。３０３はＲＡＭである。３０４は無線通信処理部であり、無線ＬＡＮの通信制御を行う。３０５はアンテナである。３０６はアンテナ制御部である。
【００２３】
３０７は電源部である。３０８はＵＳＢやIEEE1394などの通信インタフェース部である。３０９はユーザインタフェース部である。３１０は第１設定処理部であり、第１の設定方式による無線パラメータの設定処理を制御する。
【００２４】
図４は、第１の実施形態における無線装置１０３の構成の一例を示すブロック図である。図４において、４０１は無線装置１０３の全体を制御する制御部である。制御部４０１は、ＲＯＭ４０２に格納されているプログラムを実行することにより後述の各種制御を行う。４０２は制御命令、つまり、プログラムが格納されているＲＯＭである。ＲＯＭ４０２に格納されるプログラムは制御部４０１が後述の各種制御を実行するためのプログラムである。４０３はＲＡＭである。４０４は無線通信処理部であり、無線ＬＡＮの通信制御を行う。４０５はアンテナである。４０６はアンテナ制御部である。
【００２５】
４０７は電源部である。４０８はＵＳＢやIEEE1394などの通信インタフェース部である。４０９はユーザインタフェース部である。４１０は第２設定処理部であり、第２の設定方式による無線パラメータの設定処理を制御する。
【００２６】
図５は、第１の実施形態における管理装置１０４の構成の一例を示すブロック図である。図５において、５０１は管理装置１０４の全体を制御する制御部である。制御部５０１は、ＲＯＭ５０２に格納されているプログラムを実行することにより後述の各種制御を行う。５０２は制御命令、つまり、プログラムが格納されているＲＯＭである。５０３はＲＡＭである。ＲＯＭ５０２に格納されるプログラムは制御部５０１が後述の各種制御を実行するためのプログラムである。
【００２７】
５０４は電源部である。５０５はＵＳＢやIEEE1394などの有線ＬＡＮインタフェース部である。５０６はユーザインタフェース部である。５０７は無線パラメータ設定管理部であり、第１の設定方式による無線パラメータを記憶、管理する。５０８は第１設定処理部であり、第１の設定方式による無線パラメータの設定処理を制御する。
【００２８】
図６は、基地局１０１のＲＡＭ２０３に記憶される無線パラメータ調整テーブルの構成の一例を示す図である。図６に示す（Ａ）のように、無線パラメータ調整テーブルには、第１の設定方式に対応する無線パラメータ６０１と、第２の設定方式に対応する無線パラメータ６０２と、基地局１０１に現在設定されている無線パラメータ６０３とが登録される。ここで無線パラメータ６０１には、基地局１０１に接続し、第１の設定方式に対応する全ての無線装置が共通に対応する無線パラメータ（認証方式と暗号化方式）を示す情報が登録される。また、無線パラメータ６０２には、基地局１０１に接続し、第２の設定方式に対応する全ての無線装置が共通に対応する認証方式と暗号化方式を示す情報が登録される。無線パラメータ調整部２１３は、第１設定処理部２１０が無線装置と無線パラメータ設定処理を実行する際に、無線パラメータを設定する無線装置が対応する無線パラメータを第１設定処理部２１０から受信する。無線パラメータを受信した無線パラメータ調整部２１３は、既に無線パラメータ６０１に登録されている無線パラメータと、受信した無線パラメータとを比較し、共通に対応するパラメータを無線パラメータ６０１として更新し、登録する。同様に、無線パラメータ調整部２１３は、第２設定処理部２１１が無線装置と無線パラメータ設定処理を実行する際に、無線パラメータを設定する無線装置が対応する無線パラメータを第２設定処理部２１１から受信する。無線パラメータを受信した無線パラメータ調整部２１３は、既に無線パラメータ６０２に登録されている無線パラメータと、受信した無線パラメータとを比較し、共通に対応するパラメータを無線パラメータ６０２として更新し、登録する。
【００２９】
この例では、無線パラメータ６０１には、第１の設定方式に対応する無線装置１０２が使用できる無線パラメータが登録されている。また、基地局１０１の現在の設定は、認証方式（ＷＰＡ）、暗号化方式（ＡＥＳ）となっていることから、無線装置１０２は認証方式（ＷＰＡ）、暗号化方式（ＡＥＳ）を用いて基地局１０１と接続している。
【００３０】
また、基地局１０１で現在の無線パラメータが変更禁止に設定されている場合は、無線パラメータ調整テーブルの現在の無線パラメータ６０３に変更禁止を示す情報が付加される（図６に示す（Ｂ）の６０４、６０５）。
【００３１】
尚、無線パラメータ調整テーブルは、詳細は後述する無線パラメータの調整処理で参照される。また、無線パラメータとして認証方式及び暗号化方式を例に挙げたが、本発明はこれだけに限らず、例えばネットワーク識別情報など、無線通信の際に設定が必要な他の情報を追加しても良い。
【００３２】
次に、基地局１０１が無線装置１０２とインフラモードのネットワークを形成後、無線装置１０３がネットワークに参加する際の処理を、図７及び図８を用いて説明する。
【００３３】
尚、無線パラメータ調整部２１３の調整処理は、無線装置１０３が第２の設定方式を用いて基地局１０１のネットワークに参加する際に、第２設定処理部２１１により起動される。
【００３４】
図７は、第１の実施形態における基地局１０１の調整処理と通知処理を示すフローチャートである。
【００３５】
無線装置１０３が基地局１０１のネットワークに参加するために、無線装置１０３は第２の設定方式により基地局１０１に無線パラメータを要求する。該要求の際に、無線装置１０３は無線装置１０３が使用可能な無線パラメータ（認証方式と暗号方式）を基地局１０１に通知する。
【００３６】
ステップＳ７０１において、第２設定処理部２１１は、無線装置１０３から無線パラメータを受信すると、受信した無線パラメータを無線パラメータ調整部２１３に通知する。無線パラメータ調整部２１３は、第２設定処理部２１１から無線パラメータを取得して無線パラメータ調整テーブルに追加する。
【００３７】
図８は、第１の実施形態における調整処理で更新された無線パラメータ調整テーブルを示す図である。図８に示す（Ａ）は、第１の設定方式に対応する無線パラメータ８０１に加え、第２の設定方式に対応する無線パラメータ８０２が追加された状態である。また、現在の無線パラメータ８０３は、この状態では無線パラメータが変更されていないので図６と同様にＷＰＡとＡＥＳが登録されている。なお、無線パラメータ調整部２１３は、第２の設定方式に対応する無線パラメータ８０２に既に無線パラメータが登録されている場合には、無線装置１０３から取得した無線パラメータと既に登録されている無線パラメータとを比較する。そして、互いに共通の無線パラメータに更新する。このようにすることにより、無線パラメータ８０２には、基地局１０１に接続し、第２の設定方式に対応する全ての無線装置が共通に対応する認証方式と暗号化方式を示す情報が登録される。
【００３８】
図７に戻り、上述のテーブル更新後、ステップＳ７０２において、無線パラメータ調整部２１３は、無線パラメータ調整テーブルを参照し、基地局１０１の無線パラメータが変更禁止か否かを確認する。ここで、変更禁止の場合はステップＳ７０３へ進み、変更禁止ではない場合はステップＳ７０４へ進む。
【００３９】
ステップＳ７０３では、無線パラメータ調整部２１３は第２設定処理部２１１に対して調整失敗を通知し、この調整処理を終了する。一方、第２設定処理部２１１は、この通知を受信すると、無線装置１０３との間で行っている第２の設定方式による設定処理をエラー終了とする。
【００４０】
ステップＳ７０４では、無線パラメータ調整部２１３は無線パラメータ調整テーブルを参照し、第１及び第２の設定方式において対応可能な共通の認証方式の有無を確認する。その結果、共通の認証方式が無い場合はステップＳ７０３へ進み、上述したように、調整失敗を通知し、エラー終了とする。しかし、共通の認証方式が有る場合には、共通の認証方式の中で最もセキュリティ強度の高い認証方式を選択する。ここで図８に示す（Ａ）の例では、共通の認証方式の中で最もセキュリティ強度の高いＷＰＡＰＳＫが選択される。
【００４１】
次に、ステップＳ７０５において、無線パラメータ調整部２１３は無線パラメータ調整テーブルを参照し、第１及び第２の設定方式において対応可能な共通の暗号化方式の有無を確認する。その結果、共通の暗号化方式が無い場合はステップＳ７０３へ進み、上述したように、調整失敗を通知し、エラー終了とする。しかし、共通の暗号化方式が有る場合には、共通の暗号化方式の中で最もセキュリティ強度の高い暗号化方式を選択する。ここで図８に示す（Ａ）の例では、共通の暗号化方式の中で最もセキュリティ強度の高いＴＫＩＰが選択される。
【００４２】
そして、ステップＳ７０６において、無線パラメータ調整部２１３は無線パラメータの調整成功を第２設定処理部２１１に通知すると共に、ステップＳ７０４及びＳ７０５で選択した無線パラメータを第２設定処理部２１１に通知する。一方、第２設定処理部２１１は、この通知を受信すると、通知された無線パラメータを無線装置１０３へ送信する。    次に、ステップＳ７０７において、無線パラメータ調整部２１３は、ステップＳ７０４及びＳ７０５で選択した無線パラメータが基地局１０１に設定されている現在の無線パラメータ８０３と異なっているかを確認する。ここで、異なっている場合はステップＳ７０８へ進み、異なっていない場合は、この調整処理を終了する。
【００４３】
ステップＳ７０８では、無線パラメータ調整部２１３は、無線パラメータ通知処理部２１４を起動する。そして、無線パラメータ通知処理部２１４は、ステップＳ７０４及びＳ７０５で選択した無線パラメータを有線ＬＡＮ通信により管理装置１０４へ通知する。管理装置１０４は基地局から通知された無線パラメータを現在の基地局の設定として管理する。
【００４４】
次に、ステップＳ７０９において、パラメータ調整部２１３は、現在のネットワークの無線パラメータ８０３をステップＳ７０４及びＳ７０５で選択した無線パラメータ８０４に変更する。そして、この処理を終了する。
【００４５】
この例では、図８に示す（Ａ）の現在の無線パラメータ８０３が、図８に示す（Ｂ）の８０４のように変更される。即ち、無線装置１０３のネットワークへの参加に伴い、基地局１０１は、無線パラメータの認証方式をＷＰＡＰＳＫに変更し、暗号化方式をＴＫＩＰに変更する。
【００４６】
無線装置１０３は、Ｓ７０６において通知された無線パラメータを設定し、基地局１０１のネットワークに参加する。
【００４７】
以上の処理により、基地局１０１のネットワークの無線パラメータが変更されると、無線装置１０２は、このネットワークから切断される。そこで、無線装置１０２は接続可能な無線パラメータを得るために、管理装置１０４と通信を行い、基地局１０１の現在の無線パラメータ８０４を獲得する。無線装置１０２は管理装置１０４から獲得した無線パラメータ８０４を用いて基地局１０１へ再接続を行う。このとき無線装置１０２は、基地局１０１の設定に関係なく基地局１０１と通信できるパケットを用いて、基地局１０１の第１設定処理部２１０の制御により管理装置１０４と通信し、無線パラメータ８０４を獲得する。
【００４８】
上述した第１の実施形態によれば、無線パラメータの設定方式が異なる無線装置がネットワークに参加する際に、基地局が各設定方式に対応する無線装置に共通の無線パラメータを基地局の設定及び無線装置に設定できる。よって、無線パラメータが変更されても、既に基地局に接続していた無線装置が基地局と接続できなくなることを防止できる。また、無線装置での面倒な設定を行うことなく、参加が可能となる。
【００４９】
また、複数の無線パラメータ設定方式を備えた基地局が無線パラメータ設定の調整を行い、調整結果を管理装置へ通知することで、異なる設定方式により変更された無線パラメータを反映することができる。
【００５０】
［第２の実施形態］
次に、図面を参照しながら本発明に係る第２の実施形態を詳細に説明する。第１の実施形態では、第２の設定方式に対応する無線装置１０３が基地局１０１に接続する場合の調整処理と通知処理を説明した。第２の実施形態では、無線装置１０３が基地局１０１のネットワークから離脱した際の基地局１０１の処理を説明する。
【００５１】
尚、第２の実施形態における無線ＬＡＮシステムの構成は、図１〜図６を用いて説明した第１の実施形態の構成と同様である。
【００５２】
ここで、基地局１０１が無線装置１０３の離脱を検知した際に無線パラメータ通知処理部２１２及び無線パラメータ調整部２１３が行う処理を、図９及び図１０を用いて説明する。
【００５３】
尚、無線パラメータ調整部２１３の調整処理は、無線装置１０３がネットワークから離脱し、無線通信処理部２０４が無線装置１０３の離脱を検知した際に、無線通信処理部２０４より起動される。
【００５４】
図９は、第２の実施形態における基地局１０１の調整処理と通知処理を示すフローチャートである。
【００５５】
無線装置１０３は基地局１０１が形成するネットワークから離脱する場合に、基地局１０１に対して離脱を通知する。ステップＳ９０１において、無線通信処理部２０４が無線装置１０３の離脱を無線パラメータ調整部２１３に通知する。無線パラメータ調整部２１３は無線装置１０３からの離脱通知を検出する。次に、ステップＳ９０２において、無線パラメータ調整部２１３は、無線装置１０３の離脱に基づいて無線パラメータ調整テーブルを更新する。
【００５６】
図１０は、第２の実施形態における調整処理で更新された無線パラメータ調整テーブルを示す図である。図１０に示す（Ａ）は、無線装置１０３の離脱に伴い、第２の設定方式に対応する無線装置が共通に対応する無線パラメータ１００１が更新された状態である。図１０に示す（Ａ）は、図１に示す例では、第２設定方式に対応するのは無線装置１０３だけなので、第２の設定方式に対応する無線装置が共通に対応する無線パラメータ１００１は空欄になっている。しかし、第２設定方式に対応する他の無線装置が基地局と接続している場合には、それら無線装置に共通に対応する認証方式と暗号化方式を示す情報に更新される。また、現在の無線パラメータ１００２は、この状態ではＷＰＡＰＳＫとＴＫＩＰが登録されている。
【００５７】
図９に戻り、上述のテーブル更新後、ステップＳ９０３において、無線パラメータ調整部２１３は、無線パラメータ調整テーブルを参照し、基地局１０１の無線パラメータが変更禁止か否かを確認する。ここで、変更禁止の場合は、この処理を終了し、変更禁止ではない場合はステップＳ９０４へ進む。
【００５８】
ステップＳ９０４では、無線パラメータ調整部２１３は無線パラメータ調整テーブルを参照し、第１及び第２の設定方式において対応可能で、かつ最もセキュリティ強度の高い認証方式と暗号化方式とを選択する。ここでは、第２の設定方式に対応する無線装置１０３がネットワークから離脱したので、基地局に接続し、第１の設定方式に対応する無線装置が共通に対応する無線パラメータの中で最もセキュリティ強度の高い方式を選択する。
【００５９】
次に、ステップＳ９０５において、無線パラメータ調整部２１３は、ステップＳ９０４で選択した無線パラメータが、基地局１０１に設定されている現在の無線パラメータ１００２と異なっているか否かを確認する。異なっている場合はステップＳ９０６へ進み、異なっていない場合は、この処理を終了する。
【００６０】
このステップＳ９０６では、無線パラメータ調整部２１３は無線パラメータ通知処理部２１４を起動する。起動した無線パラメータ通知処理部２１４は、ステップＳ９０４で選択した無線パラメータを有線ＬＡＮ通信により管理装置１０４へ通知する。
【００６１】
次に、ステップＳ９０７において、無線パラメータ調整部２１３は、基地局１０１のネットワークの無線パラメータを、ステップＳ９０４で選択した無線パラメータに変更し、この処理を終了する。
【００６２】
この例では、図１０に示す（Ａ）の現在の無線パラメータ１００２が、図１０に示す（Ｂ）の１００３のように変更される。即ち、無線装置１０３のネットワークからの離脱に伴い、基地局１０１は、第１の設定方式に対応する無線装置が対応する認証方式の中で最もセキュリティ強度の高いＷＰＡに変更し、暗号化方式も最もセキュリティ強度の高いＡＥＳに変更する。
【００６３】
以上の処理により、基地局１０１のネットワークの無線パラメータが変更されると、無線装置１０２は、このネットワークから切断される。そこで、無線装置１０２は接続可能な無線パラメータを得るために、管理装置１０４と通信を行い、基地局１０１の現在の無線パラメータ１００３を獲得する。そして、無線装置１０２は管理装置１０４より獲得した無線パラメータ１００３を用いて基地局１０１へ再接続を行う。このとき無線装置１０２は、基地局１０１の設定に関係なく基地局１０１と通信できるパケットを用いて、基地局１０１の第１設定処理部２１０の制御により管理装置１０４と通信し、無線パラメータ１００３を獲得する。
【００６４】
上述した第２の実施形態によれば、無線パラメータの設定方式が異なる無線装置がネットワークから離脱した際に、基地局が無線パラメータを変更することで接続中の無線装置での面倒な設定を行うことなく、再接続が可能となる。
【００６５】
また、無線装置が離脱した場合にも、複数の無線パラメータ設定方式を備えた基地局が無線パラメータ設定の調整を行い、調整結果を管理装置へ通知することで、異なる設定方式により変更された無線パラメータを反映することができる。
【００６６】
［第３の実施形態］
次に、図面を参照しながら本発明に係る第３の実施形態を詳細に説明する。第１及び第２の実施形態では、管理装置１０４は有線ＬＡＮで基地局１０１に接続される外部装置として説明した。第３の実施形態では、管理装置１０４と同等の機能を基地局が備える場合を説明する。
【００６７】
図１１は、第３の実施形態における無線ＬＡＮシステムの構成の一例を示す図である。図１１の無線ＬＡＮシステムは、基地局１１０１、無線装置１１０２、１１０３によって構成される。
【００６８】
次に、図１１の無線ＬＡＮシステムを構成する基地局１１０１の構成例を、図１２を用いて説明する。尚、無線端末装置１１０２、１１０３の構成は、図３、図４を用いて説明した第１の実施形態の構成と同様である。
【００６９】
図１２は、第３の実施形態における基地局１１０１の構成の一例を示すブロック図である。図１２において、１２０１は基地局１１０１の全体を制御する制御部である。制御部１２０１は、ＲＯＭ１２０２に格納されているプログラムを実行することにより後述の各種制御を行う。１２０２は制御命令、つまり、プログラムが格納されているＲＯＭである。ＲＯＭ１２０２に格納されるプログラムは制御部１２０１が後述の各種制御を実行するためのプログラムである。１２０３はＲＡＭである。ＲＡＭ１２０３には、詳細は後述する無線パラメータ調整テーブルが記憶される。１２０４は無線通信処理部であり、無線ＬＡＮの通信制御を行う。１２０５はアンテナである。１２０６はアンテナ制御部である。
【００７０】
１２０７は電源部である。１２０８はＵＳＢやIEEE1394などの有線ＬＡＮインタフェース部である。１２０９は無線パラメータ設定ボタンであり、無線パラメータの設定処理を起動するボタンである。１２１０は第１設定処理部であり、第１の設定方式による無線パラメータの設定処理を制御する。１２１１は第２設定処理部であり、第２の設定方式による無線パラメータの設定処理を制御する。１２１２は無線パラメータ通知処理部であり、無線設定管理部１２１４へ無線パラメータを通知する。１２１３は無線パラメータ調整部であり、無線パラメータ調整テーブルに基づいて無線パラメータの調整処理を行う。１２１４は無線設定管理部であり、基地局１１０１に設定されている無線パラメータを記憶し、第１の設定方式に対応する無線装置１１０２へ無線パラメータを提供する。
【００７１】
第３の実施形態における無線パラメータ調整テーブルの構成は、図６に示す構成と同様であり、第１及び第２の設定方式も同様とする。
【００７２】
第３の実施形態では、無線装置１１０３が基地局１１０１に参加又は離脱する際に第１の実施形態（Ｓ７０１〜Ｓ７０６）又は第２の実施形態（Ｓ９０１〜Ｓ９０４）と同様に、無線パラメータを選択する。そして、選択した無線パラメータにより基地局１１０１の無線パラメータが変更される場合に、無線パラメータ通知処理部１２１２は無線設定管理部１２１４へ変更する無線パラメータを通知する。
【００７３】
この処理により、基地局１１０１のネットワークの無線パラメータが変更されたため、無線装置１１０２は一時的にこのネットワークから切断される。そこで、無線装置１１０２は第１の設定方式による無線パラメータを設定するために、基地局１１０１と通信を行い、基地局１１０１の現在の無線パラメータを獲得する。そして、無線装置１１０２は基地局１１０１から獲得した無線パラメータを設定し、基地局１１０１へ再接続を行う。
【００７４】
上述した第３の実施形態によれば、基地局が無線設定管理部を備えている場合でも、第１及び第２の実施形態と同様な効果を得ることができる。
【００７５】
尚、本発明は複数の機器（例えば、ホストコンピュータ，インタフェース機器，リーダ，プリンタなど）から構成されるシステムに適用しても、１つの機器からなる装置（例えば、複写機，ファクシミリ装置など）に適用しても良い。
【００７６】
また、前述した実施形態の機能を実現するソフトウェアのプログラムコードを記録した記録媒体を、システム或いは装置に供給し、そのシステム或いは装置のコンピュータ（ＣＰＵ若しくはＭＰＵ）が記録媒体に格納されたプログラムコードを読出し実行する。これによっても、本発明の目的が達成されることは言うまでもない。
【００７７】
この場合、記録媒体から読出されたプログラムコード自体が前述した実施形態の機能を実現することになり、そのプログラムコードを記憶した記録媒体は本発明を構成することになる。
【００７８】
このプログラムコードを供給するための記録媒体として、例えばフレキシブルディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００７９】
また、コンピュータが読出したプログラムコードを実行することにより、前述した実施形態の機能が実現されるだけでなく、次の場合も含まれることは言うまでもない。即ち、プログラムコードの指示に基づき、コンピュータ上で稼働しているＯＳ（オペレーティングシステム）などが実際の処理の一部又は全部を行い、その処理により前述した実施形態の機能が実現される場合である。
【００８０】
更に、記録媒体から読出されたプログラムコードがコンピュータに挿入された機能拡張ボードやコンピュータに接続された機能拡張ユニットに備わるメモリに書込む。その後、そのプログラムコードの指示に基づき、その機能拡張ボードや機能拡張ユニットに備わるＣＰＵなどが実際の処理の一部又は全部を行い、その処理により前述した実施形態の機能が実現される場合も含まれることは言うまでもない。
【図面の簡単な説明】
【００８１】
【図１】第１の実施形態における無線ＬＡＮシステムの構成の一例を示す図である。
【図２】第１の実施形態における無線基地局装置１０１の構成の一例を示すブロック図である。
【図３】第１の実施形態における無線端末装置１０２の構成の一例を示すブロック図である。
【図４】第１の実施形態における無線端末装置１０３の構成の一例を示すブロック図である。
【図５】第１の実施形態における無線設定管理装置１０４の構成の一例を示すブロック図である。
【図６】無線基地局装置１０１のＲＡＭ２０３に記憶される無線パラメータ調整テーブルの構成の一例を示す図である。
【図７】第１の実施形態における無線基地局装置１０１の調整処理と通知処理を示すフローチャートである。
【図８】第１の実施形態における調整処理で更新された無線パラメータ調整テーブルを示す図である。
【図９】第２の実施形態における無線基地局装置１０１の調整処理と通知処理を示すフローチャートである。
【図１０】第２の実施形態における調整処理で更新された無線パラメータ調整テーブルを示す図である。
【図１１】第３の実施形態における無線ＬＡＮシステムの構成の一例を示す図である。
【図１２】第３の実施形態における無線基地局装置１１０１の構成の一例を示すブロック図である。
【符号の説明】
【００８２】
１０１  無線基地局装置
１０２  無線端末装置
１０３  無線端末装置
１０４  無線設定管理装置
２０１  制御部
２０２  ＲＯＭ
２０３  ＲＡＭ
２０４  無線通信処理部
２０５  アンテナ
２０６  アンテナ制御部
２０７  電源部
２０８  有線ＬＡＮインタフェース部
２０９  無線パラメータ設定ボタン
２１０  第１設定処理部
２１１  第２設定処理部
２１２  無線パラメータ通知処理部
２１３  無線パラメータ調整部
３０１  制御部
３０２  ＲＯＭ
３０３  ＲＡＭ
３０４  無線通信処理部
３０５  アンテナ
３０６  アンテナ制御部
３０７  電源部
３０８  通信インタフェース部
３０９  ユーザインタフェース部
３１０  第１設定処理部
４０１  制御部
４０２  ＲＯＭ
４０３  ＲＡＭ
４０４  無線通信処理部
４０５  アンテナ
４０６  アンテナ制御部
４０７  電源部
４０８  通信インタフェース部
４０９  ユーザインタフェース部
４１０  第２設定処理部
５０１  制御部
５０２  ＲＯＭ
５０３  ＲＡＭ
５０４  電源部
５０５  有線ＬＡＮインタフェース部
５０６  ユーザインタフェース部
５０７  無線パラメータ設定管理部
５０８  第１設定処理部
１１０１  無線基地局装置
１１０２  無線端末装置
１１０３  無線端末装置
１２０１  制御部
１２０２  ＲＯＭ
１２０３  ＲＡＭ
１２０４  無線通信処理部
１２０５  アンテナ
１２０６  アンテナ制御部
１２０７  電源部
１２０８  有線ＬＡＮインタフェース部
１２０９  無線パラメータ設定ボタン
１２１０  第１設定処理部
１２１１  第２設定処理部
１２１２  無線パラメータ通知処理部
１２１３  無線パラメータ調整部
１２１４  無線パラメータ設定管理部
【図１】
2008035416.tif 000003
【図２】
2008035416.tif 000004
【図３】
2008035416.tif 000005
【図４】
2008035416.tif 000006
【図５】
2008035416.tif 000007
【図６】
2008035416.tif 000008
【図７】
2008035416.tif 000009
【図８】
2008035416.tif 000010
【図９】
2008035416.tif 000011
【図１０】
2008035416.tif 000012
【図１１】
2008035416.tif 000013
【図１２】
2008035416.tif 000014